(57)【要約】【課題】球発射装置に供給される余分な溢れ球を速やかに無くすことができると共に、低コスト化及び遊技領域の拡大化の要求を満たすことができるようにする。【解決手段】球発射装置１４の球導入路１９に溢れ球ＯＢが存在する場合には、球発射装置１４の発射動作に連動して球送出装置１５の送出カム３３が送出位置から受入位置へ回動する際に、溢れ球ＯＢが送出カム３３の球出口側とその周辺部との間に挟まって送出カム３３が受入位置へ移動するのを阻止するか又は溢れ球ＯＢが送出カム３３の凹部３５内に逆戻りして球皿から供給されるパチンコ球が凹部３５内に受け入れられるのを阻止するようにすることで、溢れ球ＯＢを速やかに無くして自動的に通常状態に復帰させる。この場合、溢れ球ＯＢを球皿へ流下させる溢れ球通路等を設ける必要がないため、低コスト化できると共に、球発射装置１４の位置を低くして遊技領域を広くするができる。【選択図】図６
2009131364.tif 000002
【特許請求の範囲】
【請求項１】
遊技球を発射位置へ誘導するように上下方向に延びる誘導レールと該発射位置に保持された遊技球（以下「発射球」という）を上方へ打ち上げる打球部材とを有する球発射装置と、球皿から供給される遊技球を凹部内に受け入れる受入位置と該凹部内の遊技球を前記球発射装置へ送り出す送出位置との間を前記球発射装置の発射動作に連動して移動可能な送出カムを有する球送出装置と、前記送出カムから送り出される遊技球を前記誘導レールに対向する方向から供給する球供給路とを備えた遊技機の球供給構造において、
前記球供給路に前記発射球とは別に余分な遊技球（以下「溢れ球」という）が存在する場合に、前記溢れ球が前記送出カムの球出口側に接触するように前記送出カムが配置されて、前記送出カムが前記送出位置から前記受入位置へ移動する際に前記溢れ球が前記送出カムの凹部内に逆戻りして前記球皿から供給される遊技球が前記凹部内に受け入れられるのを阻止するように構成されていることを特徴とする遊技機の球供給構造。
【請求項２】
遊技球を発射位置へ誘導するように上下方向に延びる誘導レールと該発射位置に保持された遊技球（以下「発射球」という）を上方へ打ち上げる打球部材とを有する球発射装置と、球皿から供給される遊技球を凹部内に受け入れる受入位置と該凹部内の遊技球を前記球発射装置へ送り出す送出位置との間を前記球発射装置の発射動作に連動して移動可能な送出カムを有する球送出装置と、前記送出カムから送り出される遊技球を前記誘導レールに対向する方向から供給する球供給路とを備えた遊技機の球供給構造において、
前記球供給路に前記発射球とは別に余分な遊技球（以下「溢れ球」という）が存在する場合に、前記溢れ球が前記送出カムの球出口側に接触するように前記送出カムが配置されて、前記送出カムが前記送出位置から前記受入位置へ移動する際に前記溢れ球が前記送出カムの球出口側とその周辺部との間に挟まって前記送出カムが前記受入位置へ移動するのを阻止するように構成されていることを特徴とする遊技機の球供給構造。
【請求項３】
前記送出カムが前記送出位置から前記受入位置へ移動する際に前記溢れ球が前記送出カムの球出口側とその周辺部との間に挟まって前記送出カムが前記受入位置へ移動するのを阻止するか又は前記溢れ球が前記送出カムの凹部内に逆戻りして前記球皿から供給される遊技球が前記凹部内に受け入れられるのを阻止するように構成されていることを特徴とする請求項２に記載の遊技機の球供給構造。
【発明の詳細な説明】
【技術分野】
【０００１】
本発明は、遊技球を上方へ打ち上げる球発射装置と、球皿から供給される遊技球を球発射装置へ送り出す球送出装置とを備えた遊技機の球供給構造に関する発明である。
【背景技術】
【０００２】
パチンコ機等の遊技機においては、遊技領域の拡大等を目的として、例えば、特許文献１（特開平１１−９７７９号公報）に記載されているように、遊技領域の下部左側に球発射装置を配置し、この球発射装置から遊技球をほぼ垂直上方へ打ち上げる垂直発射方式を採用したものがあり、この垂直発射方式の場合も、球皿から供給される遊技球を球送出装置（整流器）で１球ずつ球発射装置へ送り出すようにしている。
【０００３】
一般に、球送出装置は、球発射装置の発射動作に連動して遊技球を１球ずつ球発射装置へ送り出すようになっているが、球発射装置の発射位置に遊技球が供給されているにも拘らず、外部からの衝撃等により球送出装置が誤動作して遊技球を送り出してしまったり、或は、球発射装置から先に発射された遊技球が遊技領域に到達できずに落下し、その遊技球（いわゆるファール球）が次に発射された遊技球と衝突して、いずれかの遊技球が発射位置に戻ってきたりすることで、発射位置に保持された遊技球（以下「発射球」という）とは別に余分な遊技球（以下「溢れ球」という）が球発射装置に供給されてしまうことがある。
【０００４】
しかし、溢れ球を排除する機能を備えていない場合、溢れ球によって発射球の発射が邪魔されて発射球を正常に発射することができなくなる可能性がある。しかも、一旦、溢れ球が発生すると、球発射装置の発射動作毎に球送出装置から供給されてくる遊技球が溢れ球となることが繰り返されて、いつまでたっても溢れ球が無くならない可能性がある。
【０００５】
溢れ球の対策として、上記特許文献１の遊技機では、球発射装置の発射位置に供給される余分な溢れ球を流下させる溢れ球通路を球皿に接続して、溢れ球を球皿へ流下させて回収するようにしている。
【特許文献１】特開平１１−９７７９号公報（第２頁等）
【発明の開示】
【発明が解決しようとする課題】
【０００６】
しかし、上記特許文献１の技術では、球発射装置の発射位置に供給される余分な溢れ球を球皿へ流下させる溢れ球通路を設ける必要がある。しかも、球発射装置の発射位置に供給される余分な溢れ球を球皿へ自然に流下させるには、球発射装置の発射位置を球皿よりも高くする必要があり、これを実現するには、球皿から流下する遊技球を球発射装置の発射位置付近まで持ち上げるリフト機構等を設ける必要がある。このため、球発射装置周辺の構成が複雑化すると共に、コストアップするという欠点がある。また、球発射装置の発射位置を球皿よりも高くする必要があるため、その分、球発射装置の位置が高くなって球発射装置上方の遊技領域が狭くなるという欠点もある。
【０００７】
本発明は、このような事情を考慮してなされたものであり、従って本発明の目的は、球発射装置に供給される余分な溢れ球を速やかに無くすことができると共に、低コスト化及び遊技領域の拡大化の要求を満たすことができる遊技機の球供給構造を提供することにある。
【課題を解決するための手段】
【０００８】
上記目的を達成するために、請求項１に係る発明は、遊技球を発射位置へ誘導するように上下方向に延びる誘導レールと該発射位置に保持された遊技球（以下「発射球」という）を上方へ打ち上げる打球部材とを有する球発射装置と、球皿から供給される遊技球を凹部内に受け入れる受入位置と該凹部内の遊技球を球発射装置へ送り出す送出位置との間を球発射装置の発射動作に連動して移動可能な送出カムを有する球送出装置と、送出カムから送り出される遊技球を誘導レールに対向する方向から供給する球供給路とを備えた遊技機の球供給構造において、球供給路に発射球とは別に余分な遊技球（以下「溢れ球」という）が存在する場合に、溢れ球が送出カムの球出口側に接触するように送出カムが配置されて、送出カムが送出位置から受入位置へ移動する際に溢れ球が送出カムの凹部内に逆戻りして球皿から供給される遊技球が凹部内に受け入れられるのを阻止するように構成したものである。
【０００９】
この構成では、球供給路に溢れ球が存在する場合には、球発射装置の発射動作に連動して送出カムが送出位置から受入位置へ移動する際に、溢れ球が送出カムの凹部内に逆戻りして球皿から供給される遊技球が凹部内に受け入れられるのを阻止することができるため、新たに余分な遊技球を送り出すことを未然に防止することができる。そして、次に送出カムが受入位置から送出位置まで移動したときに凹部内の溢れ球が球発射装置へ送り出されて発射位置に供給されて発射球となる。これにより、球発射装置に供給される余分な溢れ球を速やかに無くして自動的に通常状態に復帰させることができるため、遊技を中断して溢れ球を取り除く等の作業を行う必要がなくなると共に、時間制限を有するゲーム中に溢れ球が解消されずに時間オーバーになってしまう等の不利益が生じることを防止することができる。
【００１０】
また、溢れ球を球皿へ流下させる溢れ球通路や球皿から流下する遊技球を球発射装置の発射位置付近まで持ち上げるリフト機構等を設ける必要がないため、球発射装置周辺の構成を簡単化することができると共に、低コスト化の要求を満たすことができる。更に、球発射装置の発射位置を球皿よりも高くする必要がないため、球発射装置の位置を低くして球発射装置上方の遊技領域を広くすることが可能となり、遊技領域の拡大化の要求を満たすことができる。
【００１１】
また、請求項２のように、球供給路に溢れ球が存在する場合に、溢れ球が送出カムの球出口側に接触するように送出カムが配置されて、送出カムが送出位置から受入位置へ移動する際に溢れ球が送出カムの球出口側とその周辺部との間に挟まって送出カムが受入位置へ移動するのを阻止するように構成しても良い。
【００１２】
この構成では、球供給路に溢れ球が存在する場合には、球発射装置の発射動作に連動して送出カムが送出位置から受入位置へ移動する際に、溢れ球が送出カムの球出口側とその周辺部との間に挟まって送出カムが受入位置へ移動するのを阻止することができるため、球皿から供給される遊技球が凹部内に受け入れられるのを阻止することができ、新たに余分な遊技球を送り出すことを未然に防止することができる。そして、次に送出カムが送出位置に戻ったときに送出カムの球出口側とその周辺部との間に挟まっていた溢れ球が球発射装置へ送り出されて発射位置に供給されて発射球となる。これにより、球発射装置に供給される余分な溢れ球を速やかに無くして自動的に通常状態に復帰させることができ、請求項１とほぼ同じ効果を得ることができる。
【００１３】
ところで、球供給路に溢れ球が存在する場合、発射球が発射される際の発射力等によって発射球に弾かれた溢れ球が送出カム側に戻る際の勢いや方向等が変化するため、必ず溢れ球が送出カムの球出口側とその周辺部との間に挟まるように設計したり、或は、必ず溢れ球が送出カムの凹部内に逆戻りするように設計するのは困難な場合がある。
【００１４】
そこで、請求項３のように、送出カムが送出位置から受入位置へ移動する際に溢れ球が送出カムの球出口側とその周辺部との間に挟まって送出カムが受入位置へ移動するのを阻止するか又は溢れ球が送出カムの凹部内に逆戻りして球皿から供給される遊技球が凹部内に受け入れられるのを阻止するように構成しても良い。
【００１５】
つまり、発射球が発射される際の発射力等によって発射球に弾かれた溢れ球が送出カム側に戻る際の勢いや方向等が変化することを考慮に入れて、溢れ球が送出カムの球出口側とその周辺部との間に挟まるか又は溢れ球が送出カムの凹部内に逆戻りするかのいずれかの状態になるように設計する。このようにすれば、必ず溢れ球が送出カムの球出口側とその周辺部との間に挟まるように設計したり、或は、必ず溢れ球が送出カムの凹部内に逆戻りするように設計する場合に比べて、設計が容易になるという利点がある。
【発明を実施するための最良の形態】
【００１６】
以下、本発明を実施するための最良の形態を具体化した一実施例を説明する。
まず、図１に基づいてパチンコ機の前面側下部の概略構成を説明する。
【００１７】
パチンコ機（遊技機）の本体枠１１の前面側下部には、パチンコ球（遊技球）を受け溜める上球皿１２と下球皿１３が上下に並べて配置され、球払出装置（図示せず）から払い出されたパチンコ球（賞球）が球払出通路（図示せず）を流下して上球皿１２内に流入し、この上球皿１２の貯溜量を越えた余剰のパチンコ球がオーバーフロー通路（図示せず）を流下して下球皿１３内へ流下するようになっている。
【００１８】
また、本体枠１１の左側下部には、上球皿１２から供給されるパチンコ球を発射する球発射装置１４が配置され、この球発射装置１４によりパチンコ機の左側下部からパチンコ球をほぼ鉛直上方（又は斜め上方）に打ち上げるようになっている。この球発射装置１４の前方には、上球皿１２から供給されるパチンコ球を１球ずつ球発射装置１４へ送り出す球送出装置１５（図３乃至６参照）が設けられている。一方、本体枠１１の右側下部には、球発射装置１４の発射操作ハンドル１６が設けられている。
【００１９】
次に、図２乃至図６を用いて球発射装置１４及び球送出装置１５の構成について説明する。
図２に示すように、球発射装置１４の本体基板１７には、パチンコ球の発射台１８がネジ等で固定されている。この発射台１８の中央部には、球送出装置１５から供給されるパチンコ球を導入する球導入路１９（球供給路）が形成され、この球導入路１９の左方に、横断面略Ｖ字形の誘導レール２０（図３乃至図６参照）がネジ等で固定されている。この誘導レール２０と、球導入路１９の下方に形成された受止部２１との間の隙間に、パチンコ球の下部が嵌まり込んでパチンコ球が静止した位置がパチンコ球の発射位置となる。
【００２０】
誘導レール２０は、パチンコ球を発射位置へ誘導するように上下方向（又は斜め上下方向）に延びるように配置されている。球導入路１９は、球送出装置１５の送出カム３３（図３乃至図６参照）から送り出されるパチンコ球を発射球が通過する領域（発射位置から発射されたパチンコ球が通過する領域）を挟んで誘導レール２０に対向する方向（直交する方向）から該誘導レール２０に向かって供給（導入）するように形成され、球送出装置１５から送り出されるパチンコ球の導入位置（球送出装置１５の球出口３７の位置）から発射位置までの落差がパチンコ球の１個分よりも小さくなるようにしている。
【００２１】
また、発射台１８の右方には、パチンコ球を発射するための打球槌２２（打球部材）が回動可能に設けられている。この打球槌２２の先端部に設けられた打球部２３で、発射台１８の発射位置に受け止め保持されたパチンコ球を下方から打撃することで、そのパチンコ球を発射通路２４に沿ってほぼ鉛直上方（又は斜め上方）に打ち上げるようになっている。一方、本体基板１７の裏面には、打球槌２２を回動駆動するためのロータリソレノイド（図示せず）が取り付けられ、このロータリソレノイドの回動軸２５が本体基板１７の前面側に突出し、この回動軸２５の先端部に打球槌２２がボルト等で固定されている。
【００２２】
図２に実線で示すように、打球槌２２が自重（又はバネ等の付勢力）で回動軸２５を中心にして下方に回動して下側のストッパゴム２６に当接する位置が打球槌２２の待機位置となる。そして、発射操作ハンドル１６が発射操作されると、その操作量に応じた電圧でロータリソレノイドの通電／断電が繰り返される。これにより、図２に二点鎖線で示すように、打球槌２２が回動軸２５を中心にして待機位置から発射方向（図２では時計回り方向）に回動して、発射台１８の発射位置に受け止め保持されたパチンコ球を打球部２３で打ち出した後、発射方向と逆方向に回動して待機位置に戻る発射動作を繰り返す。尚、打球槌２２の発射方向への最大回動位置は、打球槌２２のストッパ片部２２ａが上側のストッパゴム２７に当接することで規制される。
【００２３】
図１に矢印で示すように、球発射装置１４から発射されたパチンコ球は、発射通路２４を通過した後、外レール２８と内レール２９との間に形成された案内通路３０を通って遊技盤の遊技領域（図示せず）の上方に打ち込まれる。また、球発射装置１４から発射されたパチンコ球の軌道よりも左方（つまり発射台１８の発射位置の上方左側）には、球発射装置１４から発射されたパチンコ球のうち遊技領域に到達できずに案内通路３０を逆戻りしてくる遊技球（いわゆるファール球）を受け入れるファール球回収口３１が設けられている。
【００２４】
一方、図３に示すように、球発射装置１４の前方には、球送出装置１５が配置され、この球送出装置１５の本体ケース３２内に、パチンコ球を送り出す送出カム３３が回動可能に設けられている。この送出カム３３は、水平左右方向（図３では水平前後方向）に延びる回動軸３４を中心にして前後方向（図３では左右方向）に回動するように配置され、上球皿１２から供給されるパチンコ球を凹部３５内に受け入れる受入位置［図３（ａ）に示す位置］と、該凹部３５内のパチンコ球を球発射装置１４へ送り出す送出位置［図３（ｂ）に示す位置］との間を球発射装置１４の発射動作に連動して往復移動するようになっている。
【００２５】
送出カム３３の側方には、送出カム３３を回動駆動するための電磁石（図示せず）が設けられ、この電磁石の吸着面に、送出カム３３に一体的に回動可能に設けられた可動磁性片３６（図５参照）の可動面が対向している。電磁石の通電オフ時には、図３（ｂ）に示すように、送出カム３３が自重により下方に回動して送出位置となり、上球皿１２から供給されるパチンコ球が送出カム３３の上端で受け止められた状態となる。そして、電磁石への通電をオンすると、図３（ａ）に示すように、可動磁性片３６に磁気吸引力が作用して、送出カム３３が上方に回動して受入位置となり、上球皿１２から供給されるパチンコ球が送出カム３３の凹部３５内に１個だけ受け入れられる。この後、電磁石への通電をオフすると、図３（ｂ）に示すように、可動磁性片３６に磁気吸引力が作用しなくなり、送出カム３３が自重により下方に回動して送出位置となり、送出カム３３の凹部３５内のパチンコ球が球発射装置１４へ送り出される。
【００２６】
球送出装置１５は、球発射装置１４の発射動作に連動してパチンコ球を１球ずつ球発射装置１４へ送り出すようになっているが、球発射装置１４の発射位置にパチンコ球が供給されているにも拘らず、外部からの衝撃等により球送出装置１５が誤動作してパチンコ球を送り出してしまったり、或は、球発射装置１４から先に発射されたパチンコ球が遊技領域に到達できずに落下し、そのパチンコ球（いわゆるファール球）が次に発射されたパチンコ球と衝突して、いずれかのパチンコ球が発射位置に戻ってきたりすることで、発射位置に保持されたパチンコ球（以下「発射球」という）とは別に余分なパチンコ球（以下「溢れ球」という）が球発射装置１４に供給されてしまうことがある。その結果、図４及び図５に示すように、球発射装置１４の球導入路１９に発射球とは別に余分な溢れ球ＯＢが存在する状態になることがある。
【００２７】
この溢れ球ＯＢの対策として、本実施例では、図４及び図５に示すように、球発射装置１４内の発射球と球送出装置１５の送出カム３３との間のスペースがパチンコ球の１個分よりも小さくなるように送出カム３３を配置することで、球導入路１９に溢れ球ＯＢが存在する場合には、その溢れ球ＯＢが送出カム３３の球出口３７側の先端部３３ａに引っ掛かるように接触するようになっている。そして、球発射装置１４の発射動作に連動して送出カム３３が送出位置から受入位置へ回動する際に、図６（ａ）に示すように、溢れ球ＯＢが送出カム３３の球出口側の先端部３３ａとその周辺部（例えば、球導入路１９の開口端部及び球送出装置１５の球出口３７の開口端部）との間に挟まるか、又は図６（ｂ）に示すように、溢れ球ＯＢが送出カム３３の凹部３５内に逆戻りするようになっている。
【００２８】
つまり、発射球が発射される際の発射力等によって発射球に弾かれた溢れ球ＯＢが送出カム３３側に戻る際の勢いや方向等が変化することを考慮に入れて、溢れ球ＯＢが送出カム３３の球出口側の先端部３３ａとその周辺部との間に挟まるか又は溢れ球ＯＢが送出カム３３の凹部３５内に逆戻りするかのいずれかの状態になるように設計されている。
【００２９】
例えば、球発射装置１４の発射動作に連動して送出カム３３が送出位置から受入位置へ回動する際に、発射球に弾かれた溢れ球ＯＢが送出カム３３側に戻る際の勢いが比較的弱い場合には、図６（ａ）に示すように、溢れ球ＯＢが送出カム３３の球出口側の先端部３３ａとその周辺部との間に挟まる。このように、溢れ球ＯＢが送出カム３３の球出口側とその周辺部との間に挟まることで送出カム３３が受入位置へ移動するのを阻止することができるため、上球皿１２から供給されるパチンコ球が凹部３５内に受け入れられるのを阻止することができ、新たに余分なパチンコ球を送り出すことを未然に防止することができる。そして、図３（ｂ）に示すように、次に送出カム３３が送出位置に戻ったときに送出カム３３の球出口３７側とその周辺部との間に挟まっていた溢れ球ＯＢが球発射装置１４へ送り出されて発射位置に供給されて発射球となる。これにより、球発射装置１４に供給される余分な溢れ球ＯＢを速やかに無くして自動的に通常状態に復帰させることができる。
【００３０】
一方、球発射装置１４の発射動作に連動して送出カム３３が送出位置から受入位置へ回動する際に、発射球に弾かれた溢れ球ＯＢが送出カム３３側に戻る際の勢いが比較的強い場合には、図６（ｂ）に示すように、溢れ球ＯＢが送出カム３３の凹部３５内に逆戻りする。このように、溢れ球ＯＢが送出カム３３の凹部３５内に逆戻りすると、送出カム３３が受入位置まで回動しても、凹部３５内に逆戻りした溢れ球ＯＢによって、上球皿１２から供給されるパチンコ球が凹部３５内に受け入れられるのを阻止することができるため、新たに余分なパチンコ球を送り出すことを未然に防止することができる。そして、図３（ｂ）に示すように、次に送出カム３３が受入位置から送出位置まで移動したときに凹部３５内の溢れ球ＯＢが球発射装置１４へ送り出されて発射位置に供給されて発射球となる。これにより、球発射装置１４に供給される余分な溢れ球ＯＢを速やかに無くして自動的に通常状態に復帰させることができる。
【００３１】
以上説明した本実施例では、球導入路１９に溢れ球ＯＢが存在する場合には、球発射装置１４の発射動作に連動して送出カム３３が送出位置から受入位置へ回動する際に、溢れ球ＯＢが送出カム３３の球出口側の先端部３３ａとその周辺部との間に挟まって送出カム３３が受入位置へ移動するのを阻止するか又は溢れ球ＯＢが送出カム３３の凹部３５内に逆戻りして上球皿１２から供給されるパチンコ球が凹部３５内に受け入れられるのを阻止するようにしたので、球発射装置１４に供給される余分な溢れ球ＯＢを速やかに無くして自動的に通常状態に復帰させることができ、これにより、遊技を中断して溢れ球ＯＢを取り除く等の作業を行う必要がなくなると共に、時間制限を有するゲーム中に溢れ球ＯＢが解消されずに時間オーバーになってしまう等の不利益が生じることを防止することができる。
【００３２】
また、溢れ球ＯＢを上球皿１２へ流下させる溢れ球通路や上球皿１２から流下するパチンコ球を球発射装置１４の発射位置付近まで持ち上げるリフト機構等を設ける必要がないため、球発射装置１４周辺の構成を簡単化することができると共に、低コスト化の要求を満たすことができる。更に、球発射装置１４の発射位置を上球皿１２よりも高くする必要がないため、球発射装置１４の位置を低くして球発射装置１４上方の遊技領域を広くすることが可能となり、遊技領域の拡大化の要求を満たすことができる。
【００３３】
また、本実施例では、発射球が発射される際の発射力等によって発射球に弾かれた溢れ球ＯＢが送出カム３３側に戻る際の勢いや方向等が変化することを考慮に入れて、溢れ球ＯＢが送出カム３３の球出口側の先端部３３ａとその周辺部との間に挟まるか又は溢れ球ＯＢが送出カム３３の凹部３５内に逆戻りするかのいずれかの状態になるように設計したので、必ず溢れ球ＯＢが送出カム３３の球出口３７側とその周辺部との間に挟まるように設計したり、或は、必ず溢れ球ＯＢが送出カム３３の凹部３５内に逆戻りするように設計する場合に比べて、設計が容易になるという利点がある。
【００３４】
しかしながら、本発明は、発射球に弾かれた溢れ球ＯＢが送出カム３３側に戻る際の勢いや方向等に拘らず、ほぼ確実に溢れ球ＯＢが送出カム３３の球出口３７側とその周辺部との間に挟まるように構成したり、或は、ほぼ確実に溢れ球ＯＢが送出カム３３の凹部３５内に逆戻りするように構成しても良い。
【００３５】
また、上記実施例では、パチンコ機の前面下部に上球皿１２と下球皿１３を設けた２皿構成のパチンコ機に本発明を適用したが、パチンコ機の前面下部に球皿を１皿のみ設けた１皿構成のパチンコ機に本発明を適用しても良い。
【００３６】
また、本発明の適用範囲は、一般のパチンコ機に限定されず、遊技球を上方に打ち上げる垂直発射方式であれば、例えばアレンジボール遊技機等、種々の遊技機に本発明を適用しても良い。
【図面の簡単な説明】
【００３７】
【図１】本発明の一実施例におけるパチンコ機の前面側下部の一部破断正面図である。
【図２】球発射装置の正面図である。
【図３】（ａ）は送出カムが受入位置に回動した状態を示す図１のＡ−Ａ断面図であり、（ｂ）は送出カムが送出位置に回動した状態を示す図１のＡ−Ａ断面図である。
【図４】溢れ球が存在する状態を示す図１のＡ−Ａ断面図である。
【図５】溢れ球が存在する状態を示す球発射装置及び球送出装置の斜視図である。
【図６】（ａ）は溢れ球が挟まった状態を示す図１のＡ−Ａ断面図であり、（ｂ）は溢れ球が逆戻りした状態を示す図１のＡ−Ａ断面図である。
【符号の説明】
【００３８】
１１…本体枠、１２…上球皿、１３…下球皿、１４…球発射装置、１５…球送出装置、１８…発射台、１９…球導入路（球供給路）、２０…誘導レール、２２…打球槌（打球部材）、３３…送出カム、３５…凹部、３７…球出口、ＯＢ…溢れ球
【図１】
2009131364.tif 000003
【図２】
2009131364.tif 000004
【図３】
2009131364.tif 000005
【図４】
2009131364.tif 000006
【図５】
2009131364.tif 000007
【図６】
2009131364.tif 000008